(57)【特許請求の範囲】
【請求項１】
被写体を撮像してＲＡＷ画像データを生成する撮像部と、
前記ＲＡＷ画像データに少なくとも二段階の画像処理を施し、目的画像を生成する画像処理部と、
前記ＲＡＷ画像データに基づいて、レックビューを生成するレックビュー生成部と、
前記少なくとも二段階の画像処理のうち複数の段階の画像処理により得られる画像データを順次縮小処理してアイコン画像を生成する画像リサイズ処理部と、
前記レックビュー、前記アイコン画像および前記目的画像を表示する表示部と、
前記画像処理部により生成された前記目的画像を記録する記録部とを備え、
前記アイコン画像は、前記画像処理部における前記画像処理の進捗に応じて、表示位置をずらしながら前記表示部に順次表示されることを特徴とする撮像装置。
【請求項２】
前記レックビュー生成部は、前記画像処理部の前記少なくとも二段階の画像処理のうち、最終段階以外の一の中間段階の画像処理により得られる画像データに基づいて、レックビューを表示することを特徴とする請求項１に記載の撮像装置。
【請求項３】
前記レックビュー生成部は、前記画像処理部の前記少なくとも二段階の画像処理のうち、最終段階の画像処理により得られる前記目的画像に基づいて、他のレックビューを表示することを特徴とする請求項２に記載の撮像装置。
【請求項４】
前記画像処理部は、前記ＲＡＷ画像データに撮影画像を再生する基本画像処理を施す基本画像処理部と、前記再生された撮影画像に特殊効果を付加する特殊画像処理を施す特殊画像処理部と有し、前記一の中間段階の画像処理は、前記基本画像処理であることを特徴とする請求項２または３に記載の撮像装置。
【請求項５】
被写体の順次の撮像を行うとき、前記撮像部は、前記順次の撮像によるＲＡＷ画像データを順次生成し、前記画像処理部は、前記順次生成されたＲＡＷ画像データに前記画像処理を並列的に施し、前記レックビュー生成部は、前記順次生成されたＲＡＷ画像データに基づいてレックビューを順次生成し、前記画像リサイズ処理部は、前記順次の撮像のそれぞれに対応してアイコン画像を生成し、前記表示部は、前記順次生成された前記レックビューを順次表示し、且つ、前記順次の撮像のそれぞれに対応するアイコン画像を、前記表示位置をずらす方向に並べて表示することを特徴とする請求項１から４のいずれか一項に記載の撮像装置。
【請求項６】
被写体を撮像してＲＡＷ画像データを生成するステップと、
前記ＲＡＷ画像データに基づいて、レックビューを表示するステップと、
前記ＲＡＷ画像データに少なくとも二段階の画像処理を施し、目的画像を生成するステップと、
前記生成した目的画像を記録するステップと、を有し、
前記目的画像を生成するステップは、前記少なくとも二段階の画像処理のうち複数の段階の画像処理により得られる画像データを順次縮小処理してアイコン画像を生成し、該アイコン画像を画像処理部における前記画像処理の進捗に応じて、表示位置をずらしながら表示部に順次表示する処理を含むことを特徴とする撮影画像表示方法。
【請求項７】
前記レックビューを表示するステップは、前記少なくとも二段階の画像処理のうち、最終段階以外の一の中間段階の画像処理により得られる画像データに基づいて、レックビューを生成することを特徴とする請求項６に記載の撮影画像表示方法。
【請求項８】
前記画像処理部の前記少なくとも二段階の画像処理のうち、最終段階の画像処理により得られる前記目的画像に基づいて、他のレックビューを表示するステップを有することを特徴とする請求項７に記載の撮影画像表示方法。
【請求項９】
前記一の中間段階の画像処理は、前記ＲＡＷ画像データから撮影画像を再生する基本画像処理であり、前記一の中間段階の画像処理後の他の画像処理は、前記再生された撮影画像に特殊効果を付加する特殊画像処理を含むことを特徴とする請求項７または８に記載の撮影画像表示方法。
【請求項１０】
被写体の順次の撮像を行うとき、前記ＲＡＷ画像データを生成するステップは、前記順次の撮像によるＲＡＷ画像データを順次生成し、前記レックビューを表示するステップは、前記順次生成されたＲＡＷ画像データに基づいてレックビューを順次表示し、前記目的画像を生成するステップは、前記順次生成されたＲＡＷ画像データに前記画像処理を並列的に施し、且つ、前記順次の撮像のそれぞれに対応してアイコン画像を生成し、該アイコン画像を、前記表示位置をずらす方向に並べて表示することを特徴とする請求項６から９の何れか一項に記載の撮影表示方法。
【発明の詳細な説明】
【技術分野】
【０００１】
本発明は、撮像装置および撮影画像表示方法に関する。
【背景技術】
【０００２】
近年、デジタルカメラにおいては、様々な画像処理を行うことで、独特な効果が付加された写真を撮影できる特殊画像処理機能（例えば、アートフィルター）を具備する例が見られる。撮影画像に特殊画像処理を施すことにより、例えば、画像に対してぼかし処理を行うことでミニチュアを撮影したような写真に仕上げたり、ノイズを重畳させることでフィルム写真のようなノイズ間のある写真に仕上げたりすることができる。
【０００３】
一方、デジタルカメラでは、レックビュー表示機能により撮影した写真の概略を撮影直後に確認することができる。レックビューとは、撮影直後に短時間（例えば３秒間）表示される確認用の画像である。このレックビュー表示を確認することで、期待したような写真を撮影できたか否かを、デジタルカメラを再生モードに変更して写真を再生すること無く確認することができる。しかし、特殊画像処理を用いると、従来の画像処理に比べて処理時間がかかることから、レックビューが表示されるまで時間がかかる。
【０００４】
このため、撮影した画像データに、簡易画像処理を行い生成した画像を液晶パネルに表示する方法が知られている（例えば、特許文献１参照）。この方法を用いれば、時間のかかる特殊画像処理を行う場合でも、レックビューを短時間で表示することができる。
【先行技術文献】
【特許文献】
【０００５】
【特許文献１】特許第３３８９５４０号明細書
【発明の概要】
【発明が解決しようとする課題】
【０００６】
特許文献１に示された、簡易画像処理による画像を液晶パネルに表示する方法は、短時間でレックビューを表示することを可能にするものの、最終的に記録される画像の印象を確認することができない。また、特殊画像処理の進捗状況を知ることができないという問題点がある。
【０００７】
単写モードでは、簡易画像処理による画像をレックビュー表示した後、特殊画像処理の進捗状況を表示するスライドバーを表示し、特殊画像処理が完了した後、記録される画像を表示する方法により上記問題点を解決することができる。
【０００８】
しかし、連写モードにより撮影を行う場合は、上記のようなスライドバーを１つだけ用いた表示方法では、複数の画像の画像処理の進捗状況を表示することができず、また、スライドバーを複数用意した場合は、単写の場合と表示態様が変わってしまい理解しにくくなるという問題点がある。
【０００９】
したがって、これらの点に着目してなされた本発明の目的は、単写モードと連写モードとの何れでも、同一の表示態様により、レックビュー表示、および、画像処理の進捗状況を確認することが可能な、撮像装置および撮影画像表示方法を提供することにある。
【課題を解決するための手段】
【００１０】
上記目的を達成する請求項１に係る撮像装置の発明は、
被写体を撮像してＲＡＷ画像データを生成する撮像部と、
前記ＲＡＷ画像データに少なくとも二段階の画像処理を施し、目的画像を生成する画像処理部と、
前記ＲＡＷ画像データに基づいて、レックビュー生成をするレックビュー生成部と、
前記少なくとも二段階の画像処理のうち複数の段階の画像処理により得られる画像データを順次縮小処理してアイコン画像を生成する画像リサイズ処理部と、
前記レックビュー、前記アイコン画像および前記目的画像を表示する表示部と、
前記画像処理部により生成された前記目的画像を記録する記録部とを備え、
前記アイコン画像は、前記画像処理部における前記画像処理の進捗に応じて、表示位置をずらしながら前記表示部に順次表示されることを特徴とするものである。
【００１１】
請求項２に係る発明は、請求項１に記載の撮像装置において、
前記レックビュー生成部は、前記画像処理部の前記少なくとも二段階の画像処理のうち、最終段階以外の一の中間段階の画像処理により得られる画像データに基づいて、レックビューを表示をすることを特徴とするものである。
【００１２】
請求項３に係る発明は、請求項２に記載の撮像装置において、
前記レックビュー生成部は、前記画像処理部の前記少なくとも二段階の画像処理のうち、最終段階の画像処理により得られる前記目的画像に基づいて、他のレックビューを表示することを特徴とするものである。
【００１３】
請求項４に係る発明は、請求項２または３に記載の撮像装置において、
前記画像処理部は、前記ＲＡＷ画像データに撮影画像を再生する基本画像処理を施す基本画像処理部と、前記再生された撮影画像に特殊効果を付加する特殊画像処理を施す特殊画像処理部とを有し、前記一の中間段階の画像処理は、前記基本画像処理であることを特徴とするものである。
【００１４】
請求項５に係る発明は、請求項１から４の何れか一項に記載の撮像装置において、
被写体の順次の撮像を行うとき、前記撮像部は、前記順次の撮像によるＲＡＷ画像データを順次生成し、前記画像処理部は、前記順次生成されたＲＡＷ画像データに前記画像処理を並列的に施し、前記レックビュー生成部は、前記順次生成されたＲＡＷ画像データに基づいてレックビューを順次生成し、前記画像リサイズ処理部は、前記順次の撮像のそれぞれに対応してアイコン画像を生成し、前記表示部は、前記順次生成された前記レックビューを順次表示し、且つ、前記順次の撮像のそれぞれに対応するアイコン画像を、前記表示位置をずらす方向に並べて表示することを特徴とするものである。
【００１５】
上記目的を達成する請求項６に係る撮影画像表示方法の発明は、
被写体を撮像してＲＡＷ画像データを生成するステップと、
前記ＲＡＷ画像データに基づいて、レックビューを表示するステップと、
前記ＲＡＷ画像データに少なくとも二段階の画像処理を施し、目的画像を生成するステップと、
前記生成した目的画像を記録するステップとを有し、
前記目的画像を生成するステップは、前記少なくとも二段階の画像処理のうち複数の段階の画像処理により得られる画像データを順次縮小処理してアイコン画像を生成し、該アイコン画像を、前記画像処理部における前記画像処理の進捗に応じて、表示位置をずらしながら表示部に順次表示する処理を含むことを特徴とするものである。
【００１６】
請求項７に係る発明は、請求項６に記載の撮影画像表示方法において、
前記レックビューを表示するステップは、前記少なくとも二段階の画像処理のうち、最終段階以外の一の中間段階の画像処理により得られる画像データに基づいて、レックビューを生成することを特徴とするものである。
【００１７】
請求項８に係る発明は、請求項７に記載の撮影画像表示方法において、
前記画像処理部の前記少なくとも二段階の画像処理のうち、最終段階の画像処理により得られる前記目的画像に基づいて、他のレックビューを表示するステップを有することを特徴とするものである。
【００１８】
請求項９に係る発明は、請求項７または８に記載の撮影画像表示方法において、
前記一の中間段階の画像処理は、前記ＲＡＷ画像データから撮影画像を再生する基本画像処理であり、前記一の中間段階の画像処理後の他の画像処理は、前記再生された撮影画像に特殊効果を付加する特殊画像処理を含むことを特徴とするものである。
【００１９】
請求項１０に係る発明は、請求項６から９の何れか一項に記載の撮影表示方法において、
被写体の順次の撮像を行うとき、前記ＲＡＷ画像データを生成するステップは、前記順次の撮像によるＲＡＷ画像データを順次生成し、前記レックビューを表示するステップは、前記順次生成されたＲＡＷ画像データに基づいてレックビューを順次表示し、前記目的画像を生成するステップは、前記順次生成されたＲＡＷ画像データに前記画像処理を並列的に施し、且つ、前記順次の撮像のそれぞれに対応してアイコン画像を生成し、該アイコン画像を、前記表示位置をずらす方向に並べて表示することを特徴とするものである。
【発明の効果】
【００２０】
本発明によれば、ＲＡＷ画像データに基づいて、レックビューを生成するレックビュー生成部と、少なくとも二段階の画像処理のうち複数の段階の画像処理により得られる画像データを順次縮小処理してアイコン画像を生成する画像リサイズ処理部とを備え、アイコン画像が、画像処理部における画像処理の進捗に応じて、表示位置をずらしながら表示部に順次表示されるようにしたので、単写モードと連写モードとの何れでも、同一の表示態様により、レックビュー表示、および、画像処理の進捗状況の確認をすることが可能な、撮像装置および撮影画像表示方法を提供することにある。
【図面の簡単な説明】
【００２１】
【図１】本発明の実施の形態における画像表示装置を適用した撮像装置の構成を示すブロック図である。
【図２】図１で示した撮像装置で行われるメインの処理を示すフローチャートである。
【図３】図２の静止画の撮影・画像処理の詳細を示すフローチャートである。
【図４】図２の動画の撮影・画像処理の詳細を示すフローチャートである。
【図５】図２の再生処理の詳細を示すフローチャートである。
【図６Ａ】図３の静止画像処理・ＬＣＤ表示の詳細を示すフローチャートである。
【図６Ｂ】図３の静止画像処理・ＬＣＤ表示の詳細を示すフローチャートであって、図６Ａとは異なる方法を示すフローチャートである。
【図７】図４の動画像処理・ＬＣＤ表示の詳細を示すフローチャートである。
【図８】静止画撮影時の表示パネルの表示領域について説明する図である。
【図９Ａ】図１の撮像装置を用いて被写体像を単写したときの表示画像の一例を示す図である。
【図９Ｂ】図１の撮像装置を用いて被写体像を単写したときの表示画像の他の一例を示す図である。
【図１０】図１の撮像装置を用いて被写体像を連写したときの表示画像の一例を示す図である。
【発明を実施するための形態】
【００２２】
以下、本発明の実施の形態について、図面を参照して説明する。
【００２３】
図１は、本実施の形態における画像表示装置を適用したデジタルスチルカメラ（撮像装置）の構成を示すブロック図である。図１に示すデジタルスチルカメラは、カメラ本体１と交換式レンズ２とから構成される。本実施の形態のデジタルスチルカメラは、特殊画像処理機能として、「ジオラマ」と呼ばれる被写体周辺をぼかす加工処理を行うことができる。なお、本願では、ユーザの設定により「ジオラマ」のような特殊画像処理が施された画像を目的画像と呼ぶ。
【００２４】
交換式レンズ２は、レンズ１０１０と、Ｆｌａｓｈメモリ１０１１と、マイクロコンピュータ１０１２と、ドライバ１０１３と、絞り１０１４と、を有している。交換式レンズ２は、Ｉ／Ｆ９９９を介して、カメラ本体１と通信可能に接続されている。
【００２５】
カメラ本体１は、メカシャッター１０１と、撮像素子１０２と、アナログ処理部１０３と、アナログ／デジタル変換部１０４（以下、Ａ／Ｄ変換部１０４）と、バス１０５と、ＳＤＲＡＭ１０６と、基本画像処理部１０７と、ＡＥ処理部１０８と、ＡＦ処理部１０９と、画像圧縮展開部１１０と、メモリインターフェース１１１（以下、メモリＩ／Ｆ１１１）と、記憶媒体１１２と、ＬＣＤドライバ１１３と、ＬＣＤ１１４と、マイクロコンピュータ１１５と、操作部１１６と、Ｆｌａｓｈメモリ１１７と、特殊画像処理部１１８と、画像リサイズ処理部１１９と、レックビュー生成部１２０と、を有している。
【００２６】
ここで、撮像部は、撮像素子１０２、アナログ処理部１０３およびＡ／Ｄ変換部１０４を含んで構成される。また、画像処理部は、基本画像処理部１０７および特殊画像処理部１１８を含んで構成される。さらに、ＬＣＤ１１４は表示部を構成する。
【００２７】
レンズ１０１０は、被写体の光学像を撮像素子１０２に集光させる。レンズ１０１０は、短焦点レンズであっても良いし、ズームレンズであってもよい。
【００２８】
マイクロコンピュータ１０１２は、Ｉ／Ｆ９９９、Ｆｌａｓｈメモリ１０１１、および、ドライバ１０１３と接続されていて、Ｆｌａｓｈメモリ１０１１に記憶されている情報の読み込み・書き込みを行うとともに、ドライバ１０１３を制御する。Ｆｌａｓｈメモリ１０１１に記憶されている情報には、交換式レンズ２の焦点距離のデータなどが含まれる。
【００２９】
マイクロコンピュータ１０１２は、さらに、Ｉ／Ｆ９９９を介して、マイクロコンピュータ１１５と通信することができ、様々な情報をマイクロコンピュータ１１５へ送信し、また、マイクロコンピュータ１１５から絞り値等の情報を受信する。
【００３０】
ドライバ１０１３は、マイクロコンピュータ１０１２の指示を受けて、レンズ１０１０を駆動させて、焦点距離やフォーカス位置の変更を行うとともに、絞り１０１４を駆動する。絞り１０１４は、レンズ１０１０の近傍に設けられ、被写体の光量を調節する。
【００３１】
メカシャッター１０１は、マイクロコンピュータ１１５の指示を受けて駆動し、撮像素子１０２に被写体を露光する時間を制御する。
【００３２】
撮像素子１０２は、各画素を構成するフォトダイオードの前面に、ベイヤー配列のカラーフィルタが配置された撮像素子である。ベイヤー配列は、水平方向にＲ画素とＧ（Ｇｒ）画素が交互に配置されたラインと、Ｇ（Ｇｂ）画素とＢ画素が交互に配置されたラインとを有し、さらにその２つのラインを垂直方向にも交互に配置することで構成されている。この撮像素子１０２は、レンズ１０１０により集光された光を、画素を構成するフォトダイオードで受光して光電変換することで、光の量を電荷量としてアナログ処理部１０３へ出力する。なお、撮像素子１０２は、ＣＭＯＳ方式のものでもＣＣＤ方式のものでも良い。
【００３３】
アナログ処理部１０３は、撮像素子１０２から読み出された電気信号（アナログ画像信号）に対し、リセットノイズ等を低減した上で波形整形を行い、さらに目的の明るさとなるように、ゲインアップを行う。Ａ／Ｄ変換部１０４は、アナログ処理部１０３から出力されたアナログ画像信号をデジタル画像信号（以後、画像データという）に変換する。また、以下において、Ａ／Ｄ変換部１０４で変換され画像処理を受ける前の画像データをＲＡＷ画像データと呼ぶ。
【００３４】
バス１０５は、デジタルカメラ内部で発生した各種データをデジタルカメラ内の各部に転送するための転送路である。バス１０５は、Ａ／Ｄ変換部１０４と、ＳＤＲＡＭ１０６と、基本画像処理部１０７と、ＡＥ処理部１０８と、ＡＦ処理部１０９と、画像圧縮展開部１１０と、メモリＩ／Ｆ１１１と、ＬＣＤドライバ１１３と、マイクロコンピュータ１１５と、特殊画像処理部１１８と、画像リサイズ部１１９と、レックビュー生成部１２０とに接続されている。
【００３５】
Ａ／Ｄ変換部１０４から出力されるＲＡＷ画像データは、バス１０５を介して一旦ＳＤＲＡＭ１０６に記憶される。ＳＤＲＡＭ１０６は、Ａ／Ｄ変換部１０４において得られたＲＡＷ画像データや、基本画像処理部１０７、画像圧縮展開部１１０、特殊画像処理部１１８において処理された画像データ等の各種データが一時的に記憶される記憶部である。
【００３６】
基本画像処理部１０７は、オプティカルブラック減算部１０７１（以下、ＯＢ減算部１０７１）、ホワイトバランス補正部１０７２（以下、ＷＢ補正部１０７２）、同時化処理部１０７３、カラーマトリクス演算部１０７４、ガンマ・色再現処理部１０７５、エッジ強調処理部１０７６、および、ノイズ低減処理部１０７７（以下、ＮＲ処理部１０７７）を含み、ＳＤＲＡＭ１０６から読み出した画像データに対して様々な画像処理を施す。
【００３７】
ＯＢ減算部１０７１は、画像データに対して、オプティカルブラック減算処理（以下、ＯＢ減算処理）を行う。ＯＢ減算処理は、画像データを構成する各画素の画素値から、撮像素子１０２の暗電流等に起因するオプティカルブラック値（以下、ＯＢ値）を減算する処理である。
【００３８】
ＷＢ補正部１０７２は、画像データに対して、ホワイトバランスモードに応じたホワイトバランスゲインを乗じて、ホワイトバランスを補正する処理を行う。ホワイトバランスモードは、晴天、曇天、電球、蛍光灯などの光源に応じて、ユーザが設定可能である。
【００３９】
同時化処理部１０７３は、ベイヤー配列による画像データを、１画素あたりＲ，Ｇ、Ｂの情報から構成される画像データへ変換する処理を行う。ここで、その画素に無い色成分を、周辺画素からの補完処理により補う。カラーマトリクス演算部１０７４は、画像データに対して、設定されているホワイトバランスモードに応じたカラーマトリクス係数を、Ｆｌａｓｈメモリ１１７から読み出して乗じる線形変換を行って、画像データの色を補正する。ガンマ・色再現処理部１０７５は、ガンマ補正処理、および、画像の色味を変化させる色再現処理を行う。
【００４０】
エッジ強調処理部１０７６は、バンドパスフィルタを用いて、画像データからエッジ成分を抽出し、抽出したエッジ成分のデータに、エッジ強調度に応じた係数を乗じてから、画像データに加算することにより、画像データのエッジを強調する処理を行う。
【００４１】
ＮＲ処理部１０７７は、高周波を低減するフィルタを用いた処理や、コアリング処理等により、ノイズを低減する処理を行う。
【００４２】
基本画像処理部１０７によって各処理が行われた後の画像データは、ＳＤＲＡＭ１０６に記憶される。
【００４３】
ＡＥ処理部１０８は、画像データから被写体輝度を算出する。被写体輝度を算出するためのデータは、専用の測光センサの出力であってもよい。ＡＦ処理部１０９は、画像データから高周波成分の信号を取り出し、ＡＦ（Auto Focus）積算処理により、合焦評価値を取得する。
【００４４】
画像圧縮展開部１１０は、静止画像データの記録時には、ＳＤＲＡＭ１０６から画像データを読み出し、読み出した画像データをＪＰＥＧ圧縮方式に従って圧縮して、圧縮したＪＰＥＧ画像データを、ＳＤＲＡＭ１０６に一旦記憶する。マイクロコンピュータ１１５は、ＳＤＲＡＭ１０６に記憶されたＪＰＥＧ画像データに対して、ＪＰＥＧファイルを構成するために必要なＪＰＥＧヘッダを付加してＪＰＥＧファイルを作成し、作成したＪＰＥＧファイルを、メモリＩ／Ｆ１１１を介して記録媒体１１２に記録する。
【００４５】
画像圧縮展開部１１０は、また、動画データの記録時には、ＳＤＲＡＭ１０６から動画データを読み出し、読み出した動画データを、例えば、Ｈ．２６４方式に従って圧縮して、圧縮した動画データをＳＤＲＡＭ１０６に一旦記憶する。画像圧縮展開部１１０は、さらに、マイクロコンピュータ１１５からの指令に基づいて、圧縮データを展開（伸長）する処理を行う。
【００４６】
記録媒体１１２は、例えばカメラ本体１に着脱可能なメモリカードからなる記録媒体であるが、これに限定されるものではない。
【００４７】
ＬＣＤドライバ１１３は、表示画像処理部（図示せず）を備え、ＳＤＲＡＭに一時保存される画像データに基づく画像を、ＬＣＤ１１４に表示させる。
【００４８】
ここで、画像の表示には、撮影直後の画像データを短時間だけ表示するレックビュー表示、記録媒体１１２に記憶されたＪＰＥＧファイルの再生表示、および、ライブビュー表示等の動画の表示が含まれる。記録媒体１１２に記録された圧縮データを再生する場合、画像圧縮展開部１１０は、記録媒体１１２に記録されている圧縮データを読み出して展開（伸張）処理を施した上で、展開したデータを一旦ＳＤＲＡＭ１０６に記憶させる。ＬＣＤドライバ１１３は、伸張されたデータをＳＤＲＡＭ１０６から読み出し、読み出したデータを映像信号へ変換した後でＬＣＤ１１４へ出力して表示を行う。
【００４９】
制御部としての機能を有するマイクロコンピュータ１１５は、デジタルカメラ本体１の各種シーケンスを統括的に制御する。マイクロコンピュータ１１５には、操作部１１６およびＦｌａｓｈメモリ１１７が接続されている。
【００５０】
操作部１１６は、電源ボタン、レリーズボタン、動画ボタン、再生ボタン、特殊画像
処理モード選択ボタン、各種入力キー等の操作部材である。ユーザによって、操作部１１６の何れかの操作部材が操作されることにより、マイクロコンピュータ１１５は、ユーザの操作に応じた各種シーケンスを実行する。電源ボタンは、当該デジタルカメラの電源のオン／オフ指示を行うための操作部材である。電源ボタンが押されると、当該デジタルカメラの電源がオンとなる。再度、電源ボタンが押されると当該デジタルカメラの電源はオフとなる。レリーズボタンは、ファーストレリーズスイッチとセカンドレリーズスイッチの２段スイッチを有して構成されている。レリーズボタンが半押しされて、ファーストレリーズスイッチがオンされた場合に、マイクロコンピュータ１１５は、ＡＥ処理やＡＦ処理等の撮影準備シーケンスを行う。また、レリーズボタンが全押しされて、セカンドレリーズスイッチがオンされた場合に、マイクロコンピュータ１１５は、撮影シーケンスを実行して撮影を行う。
【００５１】
再生ボタンは、撮影により得られた静止画または動画をＬＣＤ１１４に表示させるためのボタンである。
【００５２】
動画ボタンは、動画の撮影を開始させ、また終了させるためのボタンである。初期状態では動画未撮影状態であるので、この状態で動画ボタンを押すと動画の撮影を開始し、動画撮影中に動画ボタンを押すと、動画の撮影を終了する。従って、動画ボタンを押すたびに、動画の撮影開始と終了とを交互に繰り返す。
【００５３】
特殊画像処理モード選択ボタンは、撮影する画像に対して特殊画像処理を行うか否か、および、どのような特殊視画像処理を行うか選択するためのボタンである。本実施の形態では、「ジオラマ」と呼ばれる被写体の周囲をぼかす画像処理モードを選択することができる。
【００５４】
なお、上述の再生ボタン、動画ボタン、特殊画像処理モード選択ボタンに代えて、ＬＣＤ１１４をタッチパネル式にして、ＬＣＤ上から撮影、再生、モードの選択等の指示を行うようにしても良い。
【００５５】
Ｆｌａｓｈメモリ１１７は、ホワイトバランスモードに応じたホワイトバランスゲインやカラーマトリクス係数、ローパスフィルタ係数等のデジタルカメラの動作に必要な各種パラメータ、銀塩粒子による粒状感に似せた粒状パターンのノイズデータ、および、デジタルスチルカメラを特定するための製造番号などを記憶している。また、Ｆｌａｓｈメモリ１１７は、マイクロコンピュータ１１５にて実行する各種プログラムも記憶している。マイクロコンピュータ１１５は、Ｆｌａｓｈメモリ１１７に記憶されているプログラムに従い、またＦｌａｓｈメモリ１１７から各種シーケンスに必要なパラメータを読み込み、各処理を実行する。
【００５６】
特殊画像処理部１１８は、ローパス処理部１１８１と、画像合成部１１８２とを含み、ユーザにより特殊画像処理モードが選択されている場合に、基本画像処理部１０７で処理された画像データをＳＤＲＡＭ１０６から読み出して、選択されている画像処理モードに応じた処理を行い、所望の目的画像を生成する。
【００５７】
ローパス処理部１１８１は、マイクロコンピュータ１１５の指示により、ＳＤＲＡＭ１０６から読み出した画像データにローパス処理を施し画像をぼかして、ＳＤＲＡＭ１０６に格納する。画像合成部１１８２は、マイクロコンピュータ１１５の指示により、ＳＤＲＡＭ１０６に格納されている２つの画像データを座標に応じて合成する。合成された画像データはＳＤＲＡＭ１０６に格納される。
【００５８】
画像リサイズ処理部１１９は、ＳＤＲＡＭ１０６から読み出した画像データに、画素数を減らす縮小処理を施して、アイコン画像を生成する。画像縮小処理としては、画素間引きなどの公知の方法により行うことができる。画像リサイズ処理部１１９で生成されたアイコン画像は、ＳＤＲＡＭ１０６に格納される。
【００５９】
レックビュー生成部１２０は、基本画像処理部１０７によって各画像処理が行われた後の画像データをＳＤＲＡＭ１０６から読み出して、画素数を減らす等の処理を行いＬＣＤ１１４にレックビュー表示するための画像を生成する。また、レックビュー生成部１２０は、特殊画像処理部１１８により特殊画像処理が行われた後の画像データをＳＤＲＡＭ１０６から読み出して、ＬＣＤ１１４にレックビュー表示するための画像を生成することもできる。
【００６０】
図２は、図１で示したデジタルスチルカメラで行われるメインの処理を示すフローチャートである。ユーザにより電源ボタンが押されてデジタルスチルカメラの電源がオンになると、マイクロコンピュータ１１５は、ステップＳ１０１の処理を開始する。
【００６１】
ステップＳ１０１では、記録中フラグをオフに初期化する。記録中フラグは、動画撮影中にオン、動画を撮影していない時にオフとなるフラグである。
【００６２】
ステップS１０２では、ユーザによって、再生ボタンが操作されたか否かを判定する。再生ボタンが操作されたと判定するとステップS１０３に進み、操作されていないと判定すると、ステップS１０４に進む。
【００６３】
ステップＳ１０３では、撮影により得られた静止画または動画を再生する処理を行う。再生処理の詳細については、図５を用いて後述する。
【００６４】
ステップＳ１０４では、ユーザによって、動画ボタンが操作されたか否かを判定する。動画ボタンが操作されたと判定するとステップＳ１０５に進み、操作されていないと判定すると、ステップＳ１０６に進む。
【００６５】
ステップＳ１０５では、記録中フラグを反転させて、ステップＳ１０６に進む。前述したように、動画ボタンは押されるたびに、動画撮影開始と終了を交互に繰り返すので、このステップでは、記録中フラグがオフであった場合にはオンに、またオンであった場合にはオフに、記録中フラグを反転させる。
【００６６】
ステップＳ１０６では、記録中フラグがオンであるか否かを判定する。記録中フラグがオンであると判定すると、ステップＳ１１２に進む。ステップＳ１１２では、動画記録中であると判定すると、撮像素子１０２からの画像信号に基づく動画の画像データについて画像処理および画像圧縮を行った後、記録媒体１１２に記録する。また、動画記録中ではないと判定すると、静止画撮影における被写体構図やシャッタタイミングの決定を行うためのライブビュー表示を行う。ステップＳ１１２の動画撮影・画像処理の詳細については、図４を用いて後述する。
【００６７】
一方、ステップＳ１０６において、記録中フラグがオフであると判定すると、ステップＳ１０７に進む。ステップＳ１０７では、ユーザによってレリーズボタンが半押しされて、ファーストレリーズスイッチがオンされたか否かを判定する。ファーストレリーズスイッチがオンされたと判定すると、ステップＳ１０８に進む。
【００６８】
ステップＳ１０８では、ＡＥ処理を行う。具体的には、ＡＥ処理部１０８において、被写体輝度を算出し、算出した被写体輝度に基づいて、Ｆｌａｓｈメモリ１１７に記憶されている露出条件決定テーブルを参照することにより、撮影時のＩＳＯ感度、絞り、およびシャッター速を決定する。
【００６９】
ステップＳ１０９では、ＡＦ処理を行う。具体的には、まず、ＡＦ処理部１０９において、合焦評価値を算出する。マイクロコンピュータ１１５は、合焦評価値に基づいて、レンズ１０１０を駆動させる指令をドライバ１０１３に出す。ドライバ１０１３は、この指令に基づいて、レンズ１０１０を駆動させて、焦点距離やフォーカス位置の変更を行う。
【００７０】
ステップＳ１０７において、ファーストレリーズスイッチがオンされなかった場合、または、ファーストレリーズスイッチがオンされたままの状態の場合には、ステップＳ１１０に進む。ステップＳ１１０では、ユーザによってレリーズボタンが全押しされて、セカンドレリーズスイッチがオンされたか否かを判定する。セカンドレリーズスイッチがオンされたと判定するとステップＳ１１１に進み、セカンドレリーズスイッチがオンされないと判定すると、ステップＳ１１２に進む。
【００７１】
ステップＳ１１１では、静止画撮影・画像処理を行う。静止画撮影・画像処理の詳細については、図３を用いて後述する。
【００７２】
ステップＳ１１３では、デジタルスチルカメラの電源がオフされたか否かを判定する。電源がオフされていないと判定すると、ステップＳ１０２に戻り、上述した処理を行う。
一方、ユーザにより電源ボタンが押されて、電源がオフされると、フローチャートの処理を終了する。
【００７３】
このように、本実施形態におけるメインフローでは、初期設定では静止画撮影モードになっており、この状態では、ステップＳ１０２→Ｓ１０４→Ｓ１０６→Ｓ１０７→Ｓ１１０→Ｓ１１２→Ｓ１１３→Ｓ１０２を順次実行し、この間ライブビュー表示を行う。ライブビュー表示中に、レリーズボタンが半押しされると、ステップＳ１０８においてＡＥ動作を行い、ステップＳ１０９においてＡＦ動作を行う。また、レリーズボタンが全押しされると、ステップＳ１１１において静止画の撮影を行う。また、動画ボタンを押すと、ステップＳ１０５において記録中フラグをオンとし、ステップＳ１０６→Ｓ１１２→Ｓ１１３→Ｓ１０２→Ｓ１０４→Ｓ１０６を繰り返し実行することにより、動画撮影を継続する。この状態で再度、動画ボタンを押すと、ステップＳ１０５において記録中フラグがオフとなることから、前述の静止画のフローに戻る。
【００７４】
図３は、図２に示すフローチャートのステップＳ１１１の処理、すなわち、静止画撮影・画像処理の詳細を示すフローチャートである。静止画撮影は、あらかじめユーザが設定した単写モードまたは連写モードにより実行される。
【００７５】
ステップＳ２０１では、撮影する画像データを一時的に記憶する領域がＳＤＲＡＭ１０６上にあるかチェックする。空きがあればこの処理は即座に終了する。空きが無い場合には、画像処理が完了するなどして不要となった画像データが記憶されている領域ができるまで待機し、その領域を空き領域とする。これにより、連写時のバッファの不足を防ぐ。
【００７６】
ステップＳ２０２では、撮影を行う。撮影（静止画撮影）に関しては、従来から用いられている手法と同様である。ドライバ１０１３は、マイクロコンピュータ１０１２の指示に基づいて、設定された絞り値になるように絞り１０１４を駆動させる。そして、決定したシャッター速に基づいて、メカシャッター１０１を制御して撮影を行い、決定したＩＳＯ感度に応じた画像を得る。
【００７７】
ステップＳ２０３では、ステップＳ２０２の撮影で得られたＲＡＷ画像データ（ベイヤーデータ）に対して、様々な静止画像処理を施し、ＬＣＤ１１４に表示する。静止画像処理・ＬＣＤ表示の詳細については、図６Ａおよび図６Ｂを用いて後述する。
【００７８】
ステップＳ２０４では、ステップＳ２０３で画像処理が施された画像データに対して、画像圧縮展開部１１０においてＪＰＥＧ圧縮を行い、画像サイズや撮影条件などのヘッダ情報を付加して、ＪＰＥＧファイルを生成する。
【００７９】
ステップＳ２０５では、ステップＳ２０４で生成したＪＰＥＧファイルを、メモリＩ／Ｆ１１１を介して記録媒体１１２に記録する。
【００８０】
ステップＳ２０６では、特殊画像処理モードが選択された場合に、図６Aのフローチャートに基づいて、後述するように、ステップＳ２０３によりＬＣＤに表示されたアイコン画像の表示を終了する。アイコン表示が終了することによって、ユーザは撮影（ステップＳ２０２）後からＪＰＥＧファイルの記録（ステップＳ２０５）までの全てのステップが終了したことを知ることができる。
【００８１】
なお、連写モードにより静止画を複数枚連続して撮影する場合は、ステップＳ２０２の撮影を連続して行い、各撮影の静止画像処理・ＬＣＤ表示（ステップＳ２０３）、ＪＰＥＧファイルの生成および記録（ステップＳ２０４、Ｓ２０５）、アイコン表示終了（ステップＳ２０６）を、連射撮影により得られた各画像データに対して、順次並列的に実行する。
【００８２】
図４は、図２に示すフローチャートのステップＳ１１２の処理、動画撮影・画像処理の詳細を示すフローチャートである。このフローチャートには、ライブビューの表示のための処理も含んでいる。なお、動画像の処理は、静止画像の処理に比べ、画素数を落とした画像に対して行う。
【００８３】
ステップＳ３０１では、ＡＥ処理を行う。この処理は、図２に示すフローチャートのステップＳ１０８の処理と同じである。
【００８４】
ステップＳ３０２では、撮影を行う。撮影（動画撮影）に関しては、従来から用いられている手法と同様である。すなわち、決定した絞り、シャッター速、ＩＳＯ感度に基づいて、いわゆる電子シャッターを制御して撮影を行う。
【００８５】
ステップＳ３０３では、ステップＳ３０２の撮影で得られたＲＡＷ画像データ（ベイヤーデータ）に対して様々な画像処理を施し、ＬＣＤ１１４に表示する。動画像処理・ＬＣＤ表示の詳細については、図７を用いて後述する。
【００８６】
一方、ステップＳ３０４では、動画が記録中であるか否かを判定する。記録中フラグがオフの場合には、動画記録中ではないと判定して、本フローチャートの処理を終了し、記録中フラグがオンの場合には、動画記録中であると判定して、ステップＳ３０５に進む。
【００８７】
ステップＳ３０５では、動画ファイルを生成して、記録媒体１１２に記録する。すなわち、画像圧縮展開部１１０において、画像データに対して動画ファイルの形式に応じた圧縮を行い、所定のヘッダ情報を付加して、動画ファイルを生成する。動画ファイルの圧縮形式には、「Ｈ．２６４」、「Ｍｏｔｉｏｎ  ＪＰＥＧ」、「ＭＰＥＧ」などがある。そして、生成した動画ファイルを、メモリＩ／Ｆ１１１を介して記録媒体１１２に記録する。
【００８８】
図５は、図２に示すフローチャートのステップＳ１０３の処理、すなわち、再生処理の詳細を示すフローチャートである。
【００８９】
ステップＳ４０１では、ユーザによる操作部１１６の操作に基づいて、ＬＣＤ１１４に表示する画像ファイルを決定する。ユーザによって、再生ボタンが押されると、記録媒体１１２に記録されている動画ファイルおよび静止画ファイルをＬＣＤ１１４に一覧表示（サムネイル表示）させる。動画ファイルについては、最初のフレームの画像をサムネイル表示させる。ユーザは、操作部１１６に含まれる十字キーなどを操作することによって、ＬＣＤ１１４に表示させたいファイルを選択する。この選択されたファイルを、ＬＣＤ１１４に表示する画像ファイルとして決定する。
【００９０】
ステップＳ４０２では、ステップＳ４０１で決定した画像ファイルが動画ファイルであるか否かを判定する。動画ファイルではなく静止画ファイルであると判定すると、ステップＳ４０９に進む。
【００９１】
ステップＳ４０９では、画像圧縮展開部１１０において、記録媒体１１２に記録されているファイルの中から、ステップＳ４０１で決定した静止画ファイルを選択して展開することにより、ＬＣＤ１１４に表示させる画像データを取得する。
【００９２】
ステップＳ４１０では、ＬＣＤドライバ１１３により、ステップＳ４０９で取得した画像データをＬＣＤ１１４に表示させる。
【００９３】
一方、ステップＳ４０２において、ステップＳ４０１で決定した画像ファイルが動画ファイルであると判定すると、ステップＳ４０３に進む。ステップＳ４０３では、動画ファイルのヘッダ情報に含まれるフレーム数の情報を取得する。
【００９４】
ステップＳ４０４では、フレーム数をカウントするパラメータＮを初期値の１に設定する。
【００９５】
ステップＳ４０５では、画像圧縮展開部１１０において、記録媒体１１２に記録されているファイルの中から、ステップＳ４０１で決定した動画ファイルを選択し、Ｎフレーム目の画像データを展開する処理を行う。
【００９６】
ステップＳ４０６では、ＬＣＤドライバ１１３により、ステップＳ４０５で取得したＮフレーム目の画像データをＬＣＤ１１４に表示させる。
【００９７】
ステップＳ４０７では、パラメータＮに１を加算して、ステップＳ４０８に進む。
【００９８】
ステップＳ４０８では、パラメータＮが動画ファイルのフレーム数より大きいか否かを判定する。パラメータＮが動画ファイルのフレーム数以下であると判定すると、ステップＳ４０５に戻って、次のフレームの画像データを展開し（ステップＳ４０５）、ＬＣＤ１１４に表示させる（ステップＳ４０６）処理を行う。一方、パラメータＮが動画ファイルのフレーム数より大きいと判定すると、再生処理を終了する。
【００９９】
図６Ａは、図３に示すフローチャートのステップＳ２０３の処理、すなわち、静止画撮影時の撮影したＲＡＷ画像データの現像処理およびＬＣＤへの表示の詳細を示すフローチャートである。
【０１００】
ステップＳ５０１では、ＯＢ減算部１０７１により、撮影により得られたＲＡＷ画像データから、撮像時に得られたＯＢ値を減算するＯＢ減算処理を施す。
【０１０１】
ステップＳ５０２では、ＷＢ補正部１０７２により、ＯＢ減算処理が施された画像データに対して、ホワイトバランスモードに応じたホワイトバランスゲインを乗じて、ホワイトバランスを補正する処理を行う。なお、ホワイトバランスモードは、ユーザが操作部１１６に含まれる入力キーを操作することによって、１回の撮影ごとに設定することができる。マイクロコンピュータ１１５は、ユーザによる操作部１１６の操作に基づいて、ホワイトバランスモードを設定する。また、デジタルスチルカメラがホワイトバランスを自動的に調整するオートホワイトバランス機能を備えている場合、マイクロコンピュータ１１５は、撮影時の光源に応じたホワイトバランスモードを自動的に設定する。
【０１０２】
ステップＳ５０３では、同時化処理部１０７３により、ホワイトバランス補正処理が施された画像データに対して、同時化処理を施す。
【０１０３】
ステップＳ５０４では、同時化処理が施された画像データに対して、カラーマトリクス演算部１０７５により、ホワイトバランスモードに応じたカラーマトリクス係数を、Ｆｌａｓｈメモリ１１７から読み出して、乗じるカラーマトリクス演算を行う。
【０１０４】
ステップＳ５０５では、ガンマ・色再現処理部１０７４により、カラーマトリクス演算が行われた画像データに対して、ガンマ補正処理、および、画像の色味を変化させる色再現処理を行う。
【０１０５】
ステップＳ５０６では、エッジ強調処理部１０７６により、ガンマ補正処理および色再現処理が行われた画像データに対して、エッジ強調処理を行う。
【０１０６】
ステップＳ５０７では、レックビュー生成部１２０により、上述の画像処理により被写体画像を再生するために基本となる諧調処理や色再現処理が行われ、ＳＤＲＡＭ１０６に記憶された画像データ、すなわち、中間段階の画像処理により得られる画像データを、ＳＤＲＡＭ１０６から読み出してレックビューを生成し、このレックビューをマイクロコンピュータ１１５の制御によりＬＣＤ上に所定時間レックビュー表示する。
【０１０７】
ステップＳ５０８では、ＮＲ処理部１０７７により、エッジ強調処理が行われた画像データに対して、ノイズを低減する処理（以下ＮＲ処理とも呼ぶ）を行う。ＮＲ処理は、コアリングパラメータに基づいたコアリング処理、または、ノイズ低減パラメータに基づいて、高周波を低減するフィルタを用いた処理を行う。
【０１０８】
ステップＳ５０９は、デジタルスチルカメラ本体の、特殊画像処理モード選択ボタンの状態に基づいて、特殊画像処理モードが選択されているか否かを判断する。特殊画像処理モード（例えば、「ジオラマ」）が選択されている場合には、ステップＳ５１０に進み特殊画像処理を実行する。また、特殊画像処理が選択されていない場合は、処理を終了して図３のフローチャートに戻る。
【０１０９】
ステップＳ５１０では、画像リサイズ処理部１１９により、ＮＲ処理後の画像データを縮小して、アイコン画像を作成し、ＬＣＤ１１４の表示パネル上の一部、例えば、左下部領域に表示する。
【０１１０】
次に、ステップＳ５１１では、ステップＳ５０８で得られたＮＲ処理後の画像データにローパス処理を施し、ぼかした画像を生成する。
【０１１１】
ステップＳ５１２では、ステップＳ５０８で得られたＮＲ処理直後の画像データと、ステップＳ５１１で得られたローパス処理を施した画像データとの合成を行う。その際、画像中心部はＮＲ処理直後の画像、周辺部はローパス処理された画像の重みがそれぞれ高くなるように画像を合成する。
【０１１２】
ステップＳ５１３では、ステップＳ５１２で合成された画像データを縮小して、アイコン画像を作成する。さらに、このアイコン画像を、ステップＳ５１０で表示したアイコン画像に代えて、ステップＳ５１０で表示したアイコン画像の位置から右側にずらした位置に表示する。
【０１１３】
ステップ５１４では、ステップＳ５０８で得られたＮＲ処理後の画像データにローパス処理を施し、ぼかした画像を生成する。このとき、ステップＳ５１１のローパス処理によりにより得られる画像よりも、よりぼかした画像となるようにする。
【０１１４】
ステップＳ５１５では、ステップＳ５１２で得られた合成画像の画像データと、ステップＳ５１４で得られたローパス処理を施した画像データとの合成を行う。その際、画像中心部は合成画像、周辺部はローパス処理された画像の重みが高くなるように画像を合成する。ステップＳ５１２における画像合成よりも、ローパス処理した画像の重みが高くなる範囲が、画像の周辺部のみとなるように合成する。
【０１１５】
ステップＳ５１６では、ステップＳ５１５で合成された画像データを縮小して、アイコン画像を作成する。さらに、このアイコン画像を、ステップＳ５１３で表示したアイコン画像に代えて、ステップＳ５１３で表示したアイコン画像の位置から右側にずらした位置に表示する。ステップＳ５１６の終了後、図３のフローチャートの処理に戻る。
【０１１６】
図６Ｂは、図３に示すフローチャートのステップＳ２０３の処理を示すフローチャートであって、図６Ａとは異なる方法を示すフローチャートである。このフローチャートは、図６Ａのフローチャートにおいて、ステップＳ５０７，Ｓ５１０，Ｓ５１３，Ｓ５１６を、それぞれステップＳ５０７’，Ｓ５１０’，Ｓ５１３’，Ｓ５１６’に置き換えたものである。その他のステップは、図６Ａに示したフローチャートのステップと同様なので、同一の符号を付して説明を省略する。
【０１１７】
ステップＳ５０７’では、画像リサイズ処理部１１９により、エッジ強調処理（ステップＳ５０６）後の画像データを縮小して、アイコン画像を作成し、このアイコン像をＬＣＤ１１４の表示パネル上の一部、例えば、左下部領域に表示する。ステップＳ５１０’では、画像リサイズ処理部１１９により、ＮＲ処理（ステップＳ５０８）後の画像データを縮小して、アイコン画像を作成し、このアイコン画像を、ステップＳ５０７’で表示したアイコン画像に代えて、ステップＳ５０７’で表示したアイコン画像の位置から右側にずらした位置に表示する。ステップＳ５１３’では、画像リサイズ処理部１１９により、特殊画像処理の１回目の画像合成処理（ステップＳ５１２）後の画像データを縮小して、アイコン画像を作成し、このアイコン画像を、ステップＳ５１０’で表示したアイコン画像に代えて、ステップＳ５１０’で表示したアイコン画像の位置から右側にずらした位置に表示する。
【０１１８】
ステップＳ５１６’では、レックビュー生成部１２０により、特殊画像処理の２回目の画像合成処理（ステップＳ５１５）がなされた画像データからレックビューを生成し、ステップＳ５１３’で表示したアイコン画像の表示を終了し、このレックビューをマイクロコンピュータ１１５の制御によりＬＣＤ上に所定時間レックビュー表示する。
【０１１９】
以上のように、図６Ａ，Ｂのフローチャートでは、撮影したＲＡＷ画像データに対して、ステップＳ５０１〜Ｓ５０６，Ｓ５０８（以下、これら一連の処理を基本画像処理と呼ぶ）を施し、被写体像を再生した画像データを生成する。さらに、特殊画像処理モードが選択された場合には、画像データに対して、ローパス処理と画像合成とから成る特殊画像処理を２段階で行い、周辺画像がぼかされたた「ジオラマ」の目的画像を生成する。すなわち、ＲＡＷ画像データから目的画像を得るまでには、少なくとも基本画像処理と特殊画像処理の段階があり、さらに、特殊画像処理段階は、２段階の画像処理で構成されている。また、ＬＣＤ１１４には、図６Ａまたは図６Ｂのフローチャートに応じて、基本画像処理と特殊画像処理の各段階の進展とともに、画像データのアイコンが順次右にずらしながら表示される（ステップＳ５１０，Ｓ５１３，Ｓ５１６；ステップＳ５０７’，Ｓ５１０’，Ｓ５１３’）。図６ＡのフローチャートのステップＳ５１６によるアイコン表示は、画像の記録媒体１１２への記録が終了すると、図３のステップＳ２０６により消去される。
【０１２０】
図６Ａの方法では、基本画像処理の途中でレックビュー表示を行うため、連写等における画角の確認を画面全体で行うことができる。図６Ｂの方法では、画像処理が完了したらレックビュー表示を行うため、最終的な画像の確認を画面全体で行うことができる。いずれの方法も、ユーザはアイコンの位置から処理の進捗状況を把握でき、また、アイコン画像から撮影結果の画角の確認や処理した結果を確認ができる。
【０１２１】
なお、複数の静止画を連写モードで撮影した場合は、図６Ａ，Ｂのフローチャートの各処理は、各撮影画像データについて並列的に処理される。
【０１２２】
図７は、図４に示すフローチャートのステップＳ３０３の処理、すなわち、動画撮影時の撮影した動画像データの現像処理およびＬＣＤへの表示の詳細を示すフローチャートである。
【０１２３】
ステップＳ６０１〜Ｓ６０７の各処理は、ＲＡＷ画像データから被写体像を再生した画像データを生成する基本画像処理であり、それぞれ、図６ＡのフローチャートのステップＳ５０１〜Ｓ５０６およびＳ５０８と同様なので、説明を省略する。また、図７のフローチャートでは、図６Ａに示したフローチャートの場合と異なり、基本画像処理による画像データ生成後のレックビュー表示を行わない。
【０１２４】
ステップＳ６０８では、デジタルスチルカメラ本体の、特殊画像処理モード選択ボタンの状態に基づいて、特殊画像処理モードが選択されているか否かを判断する。特殊画像処理モード（例えば、「ジオラマ」）が選択されている場合には、ステップＳ６０９に進み特殊画像処理を実行する。また、特殊画像処理が選択されていない場合は、ステップＳ６１３に進む。
【０１２５】
ステップＳ６０９〜Ｓ６１２は、基本画像処理により再生された画像データに特殊画像処理を施す工程であり、それぞれ、図６ＡのフローチャートのステップＳ５１１，Ｓ５１２，Ｓ５１４，Ｓ５１５と同様なので、説明を省略する。これによって、周辺画像がぼかされたた「ジオラマ」の目的画像が生成される。図６Ａの静止画の場合のフローチャートとは異なり、画像合成処理（ステップＳ６１０，Ｓ６１２）の後に、アイコンの生成・表示は行わない。なお、動画像は、静止画よりも少ない画素数に対して処理が行われるので、静止画像の処理よりも短い時間で処理される。
【０１２６】
ステップＳ６１３では、特殊画像処理モードが選択されていない場合の特殊画像処理されていない画像データ、または、特殊処理画像処理モードが選択されている場合の特殊処画像理直後の画像データを、ＬＣＤ１１４に表示し、図４の処理に戻る。
【０１２７】
したがって、ライブビュー表示または動画撮影時において、特殊画像処理モードの選択に応じて、基本画像処理により再生した動画像、または、特殊画像処理を施した動画像が、ＬＣＤ１１４に表示される。
【０１２８】
次に、図８〜１０に示す例を参照して、特殊画像撮影モードが選択されている場合の、ＬＣＤ１１４の液晶パネル上での画像の表示方法を説明する。
【０１２９】
図８は、液晶パネルの表示領域について説明する図である。液晶パネルパネル１１４１の表示領域内下側は、アイコン表示用の領域１１４２となっている。表示される順次のアイコンは、特殊画像処理の進展とともに、この領域内で左から右方向に順次ずらした位置に表示される。
【０１３０】
図９Ａは、図１のデジタルスチルカメラを用いて被写体像を単写したときの表示画像の一例を示す図であり、図６Ａのフローチャートに従って静止画像処理・ＬＣＤ表示を行う場合を示す。例えば人物などの被写体の静止画像を撮影すると、撮影したＲＡＷ画像データに対して図６ＡのＳ５０１〜Ｓ５０６の処理が施された後、生成された画像データに基づき、図９Ａ（ａ）のように、所定の時間レックビューが液晶パネル１１４１に表示される（ステップＳ５０７）。レックビュー表示は、基本画像処理（ＮＲ処理を除く）の後、特殊画像処理の完了を待たずに表示されるので、特殊画像処理の内容に関わらず、撮影後迅速に表示される。
【０１３１】
その後、ＮＲ処理が施された画像データについて、図９Ａ（ｂ）に示すように、生成されたアイコンが液晶パネル１１４１のアイコン表示用領域１１４２の左端に表示される（図６ステップＳ５１０）。また、レックビュー表示は所定の時間が経過すると、ライブビュー表示に切り替わる。このとき、アイコンは図７ステップＳ６１３でＬＣＤに表示されるライブビュー表示の上に重ねて表示される。
【０１３２】
さらに、図９Ａ（ｂ），（ｃ）に示すように、特殊画像処理の各段階の進展とともに、各段階における特殊処理画像のアイコンが生成され、既に表示されているアイコンと入れ替えに、順次右方向にずらした位置に表示される（図６ステップＳ５１０，Ｓ５１３，Ｓ５１６）。
【０１３３】
全ての特殊画像処理が終了し、目的画像の画像データが記録媒体１１２に記録されると（図３ステップＳ２０５）、最後に残っているアイコンの表示が消去される（図３ステップＳ２０６）。これによって、ユーザは、デジタルスチルカメラのモードを画像再生用のモードに変えることなく、特殊画像処理後の画像の印象を確認することができる。
【０１３４】
図９Ｂは、図１のデジタルスチルカメラを用いて被写体像を単写したときの表示画像の他の一例を示す図であり、図６Ｂのフローチャートに従って静止画像処理・ＬＣＤ表示を行う場合を示す。例えば人物などの被写体の静止画像を撮影すると、撮影したＲＡＷ画像データに対して図６ＢのＳ５０１〜Ｓ５０６の処理が施された後、生成された画像データに基づき、図９Ｂ（ａ）のようにアイコン画像が液晶パネル１１４１のアイコン表示用領域１１４２の左端に表示される（ステップＳ５０７’）。
【０１３５】
その後、画像処理の各段階の進展とともに、ＮＲ処理（ステップＳ５０８）が施された画像データ、および、１回目の画像合成（ステップＳ５１２）を行った後の画像データに対して、順次各段階におけるアイコンが生成され、既に表示されているアイコンと入れ替えに、順次右方向にずらした位置に表示される（Ｓ５１０’，Ｓ５１３’）。図６ＢのステップＳ５１３’に対応するアイコン表示は、図９Ｂ（ｂ）のようになる。
【０１３６】
さらに、特殊画像処理の２回目の画像合成（ステップＳ５１５）が終了すると、生成された特殊画像に基づき、図９Ｂ（ｃ）に示すように、図９（ｂ）に表示されたアイコンとともにレックビューが液晶パネル１１４１に表示される（ステップＳ５１６’）。さらに、図９Ｂ（ｄ）に示すように、アイコン表示が終了し、レックビュー表示開始から所定の時間の経過後、液晶パネル１１４１は、図９Ｂ（ｅ）のようにライブビュー表示となる。
【０１３７】
一方、図１０は、図１のデジタルスチルカメラを用いて被写体像を連写したときの表示画像の一例を示す図であり、図６Ａのフローチャートに従って静止画像処理・ＬＣＤ表示を行う場合を示す。この例では、連写の時間間隔はレックビューの表示時間よりも短く、連写撮影とともに被写体の人物は、デジタルスチルカメラの正面から見て右方向へ移動するものとする。
【０１３８】
図１０（ａ）は、連写の最初の１枚目の撮影後のレックビュー表示を示している（ステップＳ５０７）。次に２枚目の撮影が行われると、図１０（ｂ）に示すように、液晶パネル１１４１には1枚目のレックビュー表示を中断して２枚目の画像のレックビューが表示される。その際、１枚目の撮影画像の画像データを縮小処理したアイコンがアイコン表示用の領域１１４２に表示される（ステップＳ５１０）。さらに、３枚目の画像撮影が行われると、図１０（ｃ）に示すように、液晶パネル１１４１には３枚目の画像のレックビューが表示される。また、１枚目および２枚目の撮影画像を画像処理段階に応じて縮小処理したアイコンが、それぞれアイコン表示用の領域１１４２に表示される（図６ＡステップＳ５１０）。これらのアイコンは、それぞれ、撮影後特殊画像処理をした画像データの記録が完了していない撮影画像に対応しており、各撮影画像に対応するアイコンは、単写の場合と同様に、画像処理の進展とともに、順次右へずらされていく。すなわち、連写の場合は、それぞれに撮影画像データに対して、基本画像処理および特殊画像処理が、並行して処理され、複数アイコンによる画像処理の進捗表示がなされる。
【０１３９】
その後、連写が終了すると、最後の撮影のレックビューが所定時間表示された後、図１０（ｄ）に示すように、液晶パネル１１４１の表示は、ライブビュー表示となる（図７Ｓ６１３）。また、画像処理中の撮影画像のアイコンは、引き続きアイコン表示用の領域１１４２に表示される。これらのアイコンは、図１０（ｅ）〜（ｇ）に示すように、対応する撮影画像データの特殊画像処理が進むと、順次右方向へずれていき、ＪＰＥＧファイルの記録媒体１１２への記録（図３ステップＳ２０５）が終了したものから、順次消去される。
【０１４０】
これによって、連写の場合でも、複数の撮影の特殊画像処理の進展状況を、ＬＣＤ１１２に表示されるアイコン画像によって、処理中の画像イメージとともに確認することができる。
【０１４１】
本実施の形態によれば、撮影後基本画像処理部が基本画像処理を施した画像データを生成すると、該画像データに基づく被写体画像がＬＣＤ１１２にレックビュー表示されるので、特殊画像処理モードを選択した場合であっても、被写体像の構図などを速やかに確認することができる。さらに、画像リサイズ処理部が順次生成したアイコン画像データに基づくアイコン画像が、画像処理部における画像処理の進捗に応じて、表示位置をずらしながら表示部の下部に順次表示されるので、単写モードと連写モードとの何れでも、同一の表示態様により、レックビュー表示、および、画像処理の進捗状況の確認をすることができる。
【０１４２】
なお、本発明は、上記実施の形態にのみ限定されるものではなく、幾多の変形または変更が可能である。たとえば、特殊画像処理は「ジオラマ」に限られない。背景技術で述べたような、ミニチュア写真やフィルム写真に模したような画像や、色彩を強調する「ポップアート」、周辺部を暗くした「トイフォト」等種々の特殊画像処理を採用することが可能である。その場合、採用される特殊画像処理モードに応じて、特殊画像処理部の構成は異なる。
【０１４３】
実施の形態では、レックビューは基本画像処理のエッジ強調処理後、および、特殊画像処理後に表示するものとしたが、これに限られず、画像処理の任意の複数の段階の画像処理後にレックビュー表示をするようにしても良い。この場合、レックビュー表示からライブビュー表示に変わることなく、複数の画像処理段階のレックビューが順次切り替わるようにしても良い。
【０１４４】
また、アイコン画像の表示位置は、ＬＣＤの液晶パネルの下部に限られず、上部であっても良い。また、アイコン画像をずらす方向は、横方向に限られず、縦方向であっても良い。あるいは、直線的ではなく弧を描くようにずらしても良い。
【０１４５】
デジタルスチルカメラの各構成要素、例えば、基本画像処理部、特殊画像処理部、レックビュー生成部、画像リサイズ部は独立した専用のハードウェアにより形成される必要は無く、例えば、マイクロコンピュータがこれらの処理の一部または全部を実行するように構成しても良い。
【０１４６】
また、撮像後最初のレックビュー表示は、ＲＡＷ画像データに対して被写体像を再生する基本画像処理を施した画像を表示したが、これに限られない。撮像装置による記録用の画像再生とは別に、ＲＡＷ画像データからレックビュー表示用の画像を直接生成するようにしても良い。なお、ＲＡＷ画像データはベイヤー配列によるものだけではなく、フォビオンのようなＲＧＢデータでもよい。
【符号の説明】
【０１４７】
１    カメラ本体
２    交換式レンズ
１０１    メカシャッター
１０２    撮像素子
１０３    アナログ処理部
１０４    アナログ/デジタル変換部
１０６    ＳＤＲＡＭ
１０７    基本画像処理部
１０８    ＡＥ処理部
１０９    ＡＦ処理部
１１０    画像圧縮展開部
１１１    メモリＩ／Ｆ
１１２    記録媒体
１１３    ＬＣＤドライバ
１１４    ＬＣＤ
１１５    マイクロコンピュータ
１１６    操作部
１１７    Ｆｌａｓｈメモリ
１１８    特殊画像処理部
１１９    画像リサイズ処理部
１２０    レックビュー生成部
９９９    Ｉ／Ｆ
１０１０    レンズ
１０１１    Ｆｌａｓｈメモリ
１０１２    マイクロコンピュータ
１０１３    ドライバ
１０１４    絞り
１０７１    ＯＢ演算部
１０７２    ＷＢ補正部
１０７３    同時化処理部
１０７４    カラーマトリクス演算部
１０７５    ガンマ・色再現処理部
１０７６    エッジ強調処理部
１１８１    ローパス処理部
１１８２    画像合成部
【図１】
0005530304.tif 000002
【図２】
0005530304.tif 000003
【図３】
0005530304.tif 000004
【図４】
0005530304.tif 000005
【図５】
0005530304.tif 000006
【図６Ａ】
0005530304.tif 000007
【図６Ｂ】
0005530304.tif 000008
【図７】
0005530304.tif 000009
【図８】
0005530304.tif 000010
【図９Ａ】
0005530304.tif 000011
【図９Ｂ】
0005530304.tif 000012
【図１０】
0005530304.tif 000013